(57)【要約】【課題】  断熱材を使用せずにユニットケース表面に生じる結露を防止し、断熱材を廃止することによる部品点数の削減と断熱材を組付けるための工数を削減し、製造コストを削減することができる車両用空調ユニットを提供することを目的とする。【解決手段】  上流側に具備された送風空気の導入部と、この導入部から内部に導入された送風空気が流通する送風路１１と、この送風路１１中に配設され、当該送風空気を冷却するエバポレータ１３と、冷却された送風空気を車室内の複数箇所にそれぞれ供給するための複数の吹出口２５、２６、２７、２８と、送風路１１の下部と外部とを連通する排水路３０とを具備したユニットケース１０を備えた車両用空調ユニットに、排水路３０の周囲に空気断熱層３１、３２を形成する。【選択図】      図１
2005022600.tif 000002
【特許請求の範囲】
【請求項１】
上流側に具備された送風空気の導入部と、この導入部から内部に導入された送風空気が流通する送風路（１１）と、この送風路（１１）中に配設され、当該送風空気を冷却するエバポレータ（１３）と、冷却された送風空気を車室内の複数箇所にそれぞれ供給するための複数の吹出口（２５、２６、２７、２８）と、該送風路（１１）の下部と外部とを連通する排水路（３０）とを具備したユニットケース（１０）を備えた車両用空調ユニットであって、
前記排水路（３０）の周囲に空気断熱層（３１、３２）が形成されたことを特徴とする車両用空調ユニット。
【請求項２】
請求項１記載の車両用空調ユニット（１）において、
前記空気断熱層（３１、３２）が前記排水路（３０）に近接する送風路（１１）との間に形成されたことを特徴とする車両用空調ユニット。
【発明の詳細な説明】
【技術分野】
【０００１】
本発明は、冷房機能を備えた車両用空調ユニットに関する。
【背景技術】
【０００２】
従来から使用されている車両用空調装置として、特許文献１に開示されるものが知られている。この車両用空調装置は、エバポレータをインシュレータ上に載置し、このインシュレータごと、クーリングケース外に抜き取り自在とし、さらに、エアフィルタの上下両端縁を、インシュレータの上面に設けたガイド部と、クーリングケースの天板部の下面に設けた上側ガイド部とにより案内支持自在とすることにより、従来では困難であったエアフィルタの交換作業、エバポレータの修理・交換作業を容易に行なえる構造を実現したものである。
【特許文献１】特開２０００−２７２３３３号公報
【発明の開示】
【発明が解決しようとする課題】
【０００３】
ところが、上記従来技術では、クーリングケース（ユニットケース）内に導入された送風空気をエバポレータが冷却する際に結露した凝縮水によって、ユニットケースが冷却され、ユニットケース表面に結露しないようにインシュレータ（断熱材）が使用されているため、ユニットケースの製造コストを削減することが困難であった。
【０００４】
そこで、本発明は、断熱材を使用せずにユニットケース表面に生じる結露を防止し、断熱材を廃止することによる部品点数の削減と断熱材を組付けるための工数を削減し、製造コストを削減することができる車両用空調ユニットを提供することを目的とする。
【課題を解決するための手段】
【０００５】
請求項１記載の発明にあっては、上流側に具備された送風空気の導入部と、この導入部から内部に導入された送風空気が流通する送風路と、この送風路中に配設され、当該送風空気を冷却するエバポレータと、冷却された送風空気を車室内の複数箇所にそれぞれ供給するための複数の吹出口と、該送風路の下部と外部とを連通する排水路とを具備したユニットケースを備えた車両用空調ユニットであって、前記排水路の周囲に空気断熱層が形成されたことを特徴とする。
【０００６】
請求項２記載の発明にあっては、請求項１記載の車両用空調ユニットにおいて、前記空気断熱層が前記排水路に近接する送風路との間に形成されたことを特徴とする。
【発明の効果】
【０００７】
請求項１記載の発明によれば、ユニットケース内に導入された送風空気をエバポレータが冷却する際に結露した凝縮水によって、ユニットケースが冷却され、ユニットケース表面に結露するが、排水路の周囲に空気断熱層が形成されたことにより、断熱材を使用せずにユニットケース表面に生じる結露を防止することで、断熱材を廃止することによる部品点数の削減と断熱材を組付けるための工数を削減し、製造コストを削減することができる。
【０００８】
請求項２記載の発明によれば、請求項１の効果に加えて、空気断熱層が排水路に近接する送風路との間に形成されたことによって、車室内に送風される送風空気を所定の温度に保つことができるので、乗員に快適な温度環境を提供することができる。
【発明を実施するための最良の形態】
【０００９】
以下、本発明の車両用空調ユニットの一実施形態を図面に基づいて詳細に説明する。図１は本実施形態における車両用空調ユニットの側方断面図、図２は本実施形態の側面図、図３は排水路周辺の要部断面図である。
【００１０】
本実施形態の車両用空調ユニット１は、内部に送風路１１が形成されたユニットケース１０と、このユニットケース１０側部に配設され、車室内空気と車室外空気のどちらをユニットケース１０内に導入するかを選択的に切替える内外気切替え機構（不図示）と、この内外気切替え機構からユニットケース１０内に送風空気を導入する送風機（不図示）とを備えた導入部（不図示）とから構成されている。
【００１１】
図１、図２に示されるように、ユニットケース１０内部には、当該導入部によって内部に導入された送風空気が送風される送風路１１の他に、送風空気を車室内の所定の位置に送気する吹出口としてデフロスタ吹出口２５、ベント吹出口２６、フット吹出口２８、リア吹出口２７が形成されている。また、送風路１１には、導入された送風空気に含まれるゴミを取除くフィルタ１２と、内部に冷媒が循環し通過する送風空気を冷却・除湿するエバポレータ１３と、内部に温水が循環し通過する送風空気を加熱するヒータコア１５が配設されている。
【００１２】
さらに、送風路１１のエバポレータ１３下流にはエアミックスドア１４が配設され、このエアミックスドア１４の開度に応じて、エバポレータ１３下流に位置するバイパス路１６と加熱路１７にフィルタ１２とエバポレータ１３を順に通過した空調風を分配する。バイパス路１６に送風された送風空気は、混合路１８に送風され、加熱路１７に送風された送風空気は、ヒータコア１５に送風されてヒータコア１５を通過する際に加熱されて混合路１８に送風される。そして、バイパス路１６からの送風空気と加熱路１７からの送風空気は混合路１８で均一温度に混合される。つまり、エアミックスドア１４の開度によって、車室内が設定された温度になるように送風空気の温度が調節される。
【００１３】
そして、混合路１８で温度が均一になった送風空気は、モード切替ドア１９によって、乗員に選択された送風モードに応じて、デフロスタ吹出口２５に通じるデフロスタ連通路２０と、ベント吹出口２６に通じるベント連通路２１と、フット吹出口２８とリア吹出口２７に通じるフット＝リア連通路２２とのいずれかに送風され、各吹出口から車室内に送風される。なお、フット＝リア連通路２２は、途中でリア連通路２３とフット連通路２４に分岐し、リア吹出口２７とフット吹出口２８に送風空気が送風される。
【００１４】
また、送風空気がエバポレータ１３を通過する際に、送風空気が冷却されて、送風空気中の水蒸気が凝縮して凝縮水となり、この凝縮水はエバポレータ１３を伝わってユニットケース１０内に滴下するため、当該凝縮水が滞留する位置には車室外とユニットケース１０内を連通し、車室外に当該凝縮水を排出する排水路３０が形成されている。排水路３０は車両が停止した状態で、内部に当該凝縮水が滞留しないように取付け位置と形状、および取付け角度が決められている。
【００１５】
当該凝縮水は、送風空気を冷却する際に凝縮した水なので、凝縮直後はユニットケース１０外側の車室内温度よりも温度が低くなっている。したがって、当該凝縮水がユニットケース１０から排水路３０を通じて車室外に排出される際にユニットケース１０の壁、および排水路３０の壁が当該凝縮水によって冷却され、ユニットケース１０の表面と排水路３０の表面が結露し、車室内に滴下してしまう。
【００１６】
そこで、本実施形態では、図１、図３に示されるように、排水路３０の周囲に空気断熱層３１、３２が形成され、排水路３０周辺の結露を防止している。また、この排水路３０に近接する送風路としての送風路エバポレータ上流部１１ａと排水路３０との間、およびフット連通路２４と排水路３０との間に空気断熱層３１、３２が別々に形成されている。さらに、空気断熱層３２は、フット連通路２４を流れる送風空気の主流に沿って、排水路３０の外周部分に形成されている。
【００１７】
ユニットケース１０は、射出成形によって成形され、縦に２分割された第１ケース１０ａと第２ケース１０ｂから構成されており、第１ケース１０ａ内部にエバポレータ１３、ヒータコア１５、エアミックスドア１４、モード切替ドア１９等を配設し、第２ケース１０ｂを第１ケース１０ａに組付けることで、車両用空調ユニット１が形成されている。そこで、第１ケース１０ａと第２ケース１０ｂを成形する際の金型を引抜く方向が考慮され、排水路３０とフット連通路２４が一部で接するように空気断熱層３２が形成されている。
【００１８】
したがって、上記構成により、ユニットケース１０内に導入された送風空気をエバポレータ１３が冷却する際に結露した凝縮水によって、ユニットケース１０が冷却され、ユニットケース１０表面に結露するが、排水路３０の周囲に空気断熱層３１、３２が形成されたことにより、断熱材を使用せずにユニットケース１０表面に生じる結露を防止することで、断熱材を廃止することによる部品点数の削減と断熱材を組付けるための工数を削減し、製造コストを削減することができる。
【００１９】
空気断熱層３１、３２が排水路３０に近接する送風路エバポレータ上流部１１ａとフット連通路２４との間に形成されたことによって、車室内に送風される送風空気を所定の温度に保つことができるので、乗員に快適な温度環境を提供することができる。
【００２０】
また、空気断熱層３１、３２が一体に形成された場合には、空気断熱層内部で生じる対流によって、送風路エバポレータ上流部１１ａとフット連通路２４の間で熱の授受が行われてしまうが、空気断熱層３１、３２が別々に形成されていることによって、送風路エバポレータ上流部１１ａとフット連通路２４の間で熱の授受が行われないので、断熱性能が向上し、フット吹出口２８から車室内に送風される送風空気の温度を安定させることができる。
【００２１】
さらに、本実施形態の空気断熱層３２は、排水路３０とフット連通路２４が一部で接しているが、フット連通路２４を流れる送風空気の主流は、排水路３０とフット連通路２４が接している部分を流れないので、フット連通路２４を流れる送風空気の温度に与える影響は小さい。
【図面の簡単な説明】
【００２２】
【図１】本実施形態における車両用空調ユニットの側方断面図である。
【図２】図１を背面側から見た車両用空調ユニットの側面図である。
【図３】図１のＡ−Ａ線に沿った排水路周辺の要部断面図である。
【符号の説明】
【００２３】
１…車両用空調ユニット
１０…ユニットケース
１１…送風路
１３…エバポレータ
２５，２６，２７，２８…吹出口
３０…排水路
３１，３２…空気断熱層
【図１】
2005022600.tif 000003
【図２】
2005022600.tif 000004
【図３】
2005022600.tif 000005